(57)【要約】    【課題】      不必要なアンテナ切り替えによる送受信の中断頻度を低減することのできるアンテナ切替制御装置および通信端末装置を提供すること。    【解決手段】  アンテナ切替制御部１０７は、通信品質が低下したことを示し、かつ、自機が位置する場所をカバーする基地局装置のセルおよび自機の通信状態に対応する最も受信レベルの高いアンテナのアンテナ識別情報が記憶部１０８に記憶されていない場合に、アンテナの切り替えを行って全てのアンテナについての受信レベルを取得する。そして、最も受信レベルの高いアンテナ識別情報とセル識別情報および通信状態情報とを対応づけて、記憶部１０８に記憶させる。その後、ある通信状態で、あるアンテナに切り替えているときに、通信品質が低下したことを示した場合には、その時のセル識別情報および通信状態情報に対応する、記憶部１０８に記憶されたアンテナ識別情報に基づき、アンテナの切替制御を行う。  【選択図】      図１
2005328390.tif 000002
【特許請求の範囲】
【請求項１】
通信端末装置が備える複数のアンテナのうち、信号の送受信に用いるアンテナへの切り替えを制御するアンテナ切替制御装置であって、
前記通信端末装置における受信品質を測定する受信品質測定手段と、
セルのセル識別情報および前記通信端末装置の通信状態を示す通信状態情報と、そのセルおよび通信状態における受信品質が最良であったアンテナを特定する特定アンテナ識別情報とを対応づけて記憶する記憶手段と、
前記通信端末装置における受信品質が所定レベル以下であるときに、前記記憶手段において前記通信端末装置が現在あるセルの識別情報および通信状態情報に対応して記憶された特定アンテナ識別情報で特定されるアンテナへの切り替えを制御する制御手段と、
を具備することを特徴とするアンテナ切替制御装置。
【請求項２】
前記記憶手段は、最良であった前記受信品質を示す受信品質情報をさらに対応づけて記憶し、
前記制御手段は、前記通信端末装置における受信品質が所定レベル以下であるときに、その時点のアンテナと、前記特定アンテナ識別情報で特定されるアンテナとが異なり、かつ、前記特定アンテナ識別情報と対応する受信品質情報が示す受信品質が、その時点の前記アンテナの受信品質よりもよい場合には、前記特定アンテナ識別情報で特定されるアンテナへの切り替えを制御することを特徴とする請求項１記載のアンテナ切替制御装置。
【請求項３】
通信端末装置が備える複数のアンテナのうち、信号の送受信に用いるアンテナへの切り替えを制御するアンテナ切替制御装置であって、
前記通信端末装置における受信品質を測定する受信品質測定手段と、
前記通信端末装置が過去に送信をした基地局装置のセルのセル識別情報およびその送信のときの通信状態情報と、その送信の成否と、その送信のときに使用したアンテナを特定する特定アンテナ識別情報とを対応づけて記憶する記憶手段と、
現在前記通信端末装置があるセルのセル識別情報および通信状態情報に対応する前記記憶手段における前記送信の成否から最も受信品質がよいアンテナを推定し、そのアンテナへの切り替えを制御する制御手段と、
を具備することを特徴とするアンテナ切替制御装置。
【請求項４】
請求項１から請求項３のいずれかに記載のアンテナ切替制御装置を具備することを特徴とする通信端末装置。
【発明の詳細な説明】
【技術分野】
【０００１】
本発明は、アンテナ切替制御装置および通信端末装置に関し、特に不必要なアンテナ切り替えによる送受信の中断頻度を低減することのできるアンテナ切替制御装置および通信端末装置に関する。
【背景技術】
【０００２】
従来のダイバーシチ受信装置を備えた通信端末装置が、特許文献１に記載されている。この従来の通信端末装置は、図４に示すようにアンテナ１１、アンテナ１２、切替器２０、受信機３０、受信強度測定器４０、受信品質判定器５０、保持部６０および制御回路７０を備えている。
【０００３】
この従来の通信端末装置においては、受信品質判定器５０が品質劣化を判定すると、受信強度測定器４０は、全てのアンテナに対応する受信レベルを測定する。そして、制御回路７０は、受信強度測定器４０において測定された受信レベルのうち、最大の受信レベルを示すアンテナを選択している。
【特許文献１】特開平６−３０３２２０号公報
【発明の開示】
【発明が解決しようとする課題】
【０００４】
しかしながら、従来の通信端末装置においては、現在使用中のアンテナを切り替えることによって、必要とされるデータの送受信の中断が発生するという不都合がある。
【０００５】
本発明は、かかる点に鑑みてなされたものであり、不必要なアンテナ切り替えによる送受信の中断頻度を低減することのできるアンテナ切替制御装置および通信端末装置を提供することを目的とする。
【課題を解決するための手段】
【０００６】
本発明のアンテナ切替制御装置は、通信端末装置が備える複数のアンテナのうち、信号の送受信に用いるアンテナへの切り替えを制御するアンテナ切替制御装置であって、前記通信端末装置における受信品質を測定する受信品質測定手段と、セルのセル識別情報および前記通信端末装置の通信状態を示す通信状態情報と、そのセルおよび通信状態における受信品質が最良であったアンテナを特定する特定アンテナ識別情報とを対応づけて記憶する記憶手段と、前記通信端末装置における受信品質が所定レベル以下であるときに、前記記憶手段において前記通信端末装置が現在あるセルの識別情報および通信状態情報に対応して記憶された特定アンテナ識別情報で特定されるアンテナへの切り替えを制御する制御手段と、を具備する構成を採る。
【発明の効果】
【０００７】
本発明によれば、場所および通信状態に対応づけてその場所および通信状態で最も通信品質のよいアンテナの識別情報を記憶しておき、自機の置かれた環境又は通信状態が変化したときに、そのときに置かれた場所および通信状態に対応づけて記憶された最も通信品質のよいと推定されるアンテナに切り替える制御を行うことにより、不必要なアンテナ切り替えによる送受信の中断頻度を低減することのできるアンテナ切替制御装置および通信端末装置を提供することができる。
【発明を実施するための最良の形態】
【０００８】
本発明の骨子は、場所および通信状態に対応づけてその場所および通信状態で最も通信品質のよいアンテナの識別情報を記憶しておき、自機の置かれた環境又は通信状態が変化したときに、そのときに置かれた場所および通信状態に対応づけて記憶された最も通信品質のよいと推定されるアンテナに切り替える制御を行うことにより、その後の不必要なアンテナ切り替えの頻度を低減して、送受信の中断頻度を低減することである。
【０００９】
以下、本発明の実施の形態について図面を参照して詳細に説明する。
【００１０】
（実施の形態１）
まず、本実施の形態に係る通信端末装置の構成について、図１を参照して説明する。
【００１１】
図１に示すように、通信端末装置１００は、アンテナ１０１、アンテナ１０２、アンテナ切替部１０３、復調部１０４、誤り率測定部１０５、通信状態監視部１０６、アンテナ切替制御部１０７、記憶部１０８、および受信レベル測定部１０９を備える。
【００１２】
アンテナ切替部１０３は、アンテナ切替制御部１０７からのアンテナ切替命令信号およびアンテナ識別信号に応じて、そのアンテナ識別情報により特定されるアンテナ（ここでは、アンテナ１０１又はアンテナ１０２）に切り替える。そして、アンテナ切替部１０３は、切り替えたアンテナを介して受信する受信信号を復調部１０４に出力する。
【００１３】
復調部１０４は、アンテナ切替部１０３からの信号に復調処理を施して、復調後の信号を誤り率測定部１０５、アンテナ切替制御部１０７、および受信レベル測定部１０９に対して出力するとともに、受信データ信号としてデータ処理部（図示せず）に対して出力する。
【００１４】
誤り率測定部１０５は、復調部１０４からの信号に基づいて、受信の誤り率を測定する。この測定の結果、誤り率が所定のしきい値以上の場合には、誤り率測定部１０５は、所定の命令信号をアンテナ切替制御部１０７に出力する。
【００１５】
通信状態監視部１０６は、通信端末装置１００の通信状態を監視して、通信状態情報（「待ち受け状態」、「発着信状態」、「通信中」など）をアンテナ切替制御部１０７に出力する。
【００１６】
アンテナ切替制御部１０７は、通信状態監視部１０６から通信状態情報を受け取るとともに、復調部１０４からの復調後の信号より、現在通信端末装置１００が収容されている基地局装置のセルを特定するセル識別情報を抽出する。
【００１７】
また、アンテナ切替制御部１０７は、誤り率測定部１０５からの所定の命令信号を受け取ると、その命令信号をトリガとして記憶部１０８を参照し、抽出したセル識別情報および通信状態情報に対応する受信レベル、誤り率、およびアンテナ識別情報が記憶部１０８に記憶されているか否かを検索する。
【００１８】
この検索の結果、セル識別情報および通信状態情報に対応する受信レベル、誤り率およびアンテナ識別情報が記憶部１０８に記憶されている場合には、アンテナ切替制御部１０７は、そのアンテナ識別情報と現在選択しているアンテナの識別情報とが一致するか否かを判定する。そして、判定の結果、一致する場合には、アンテナ切替制御部１０７は、動作しない。一方、判定の結果、一致しない場合には、アンテナ切替制御部１０７は、アンテナを切り替えることを命じるアンテナ切替命令信号と切り替えるべきアンテナのアンテナ識別情報とをアンテナ切替部１０３に出力する。
【００１９】
一方、検索の結果、セル識別情報および通信状態情報に対応する受信レベル、誤り率、およびアンテナ識別情報が記憶部１０８に記憶されていない場合には、アンテナ切替制御部１０７は、受信レベル測定部１０９に対して現在測定している受信レベルの出力命令信号を与え、また、誤り率測定部１０５に対して現在測定している誤り率の出力命令信号を与える。
【００２０】
その後、アンテナ切替制御部１０７は、アンテナ切替部１０３にアンテナ切替命令信号を出力するとともに、アンテナ切替部１０３によりアンテナが切り替えられた後の受信レベルおよび誤り率の出力を命じる出力命令信号を、受信レベル測定部１０９および誤り率測定部１０５に対して与える。なお、このアンテナ切替制御部１０７の動作は、通信端末装置１００が備える全てのアンテナについて行われる。
【００２１】
そして、アンテナ切替制御部１０７からの出力命令信号に応じて、誤り率測定部１０５および受信レベル測定部１０９は、その出力命令信号を受け取った時点での誤り率および受信レベルを各々出力する。これにより、アンテナ切替制御部１０７は、全てのアンテナについての受信レベルおよび誤り率を受け取ることになる。
【００２２】
アンテナ切替制御部１０７は、全てのアンテナについての受信レベルおよび誤り率を受け取って比較することにより、受信レベルが最も高いアンテナにかかる受信レベルおよび誤り率と、そのアンテナの識別情報、通信状態情報およびセル識別情報とを記憶部１０８に出力するとともに、その最も受信レベルが高いアンテナに切り替えることを命じるアンテナ切替命令信号をアンテナ切替部１０３に出力する。
【００２３】
記憶部１０８は、アンテナ切替制御部１０７から受け取った受信レベル、誤り率、アンテナ識別情報、通信状態情報およびセル識別情報を対応づけて記憶する。すなわち、記憶部１０８は、受信レベルおよび誤り率という受信品質を示す受信品質情報を、アンテナ識別情報、通信状態情報およびセル識別情報と対応づけて記憶している。
【００２４】
なお、誤り率測定部１０５および受信レベル測定部１０９は、通信端末装置１００の通信状態（「待ち受け状態」、「発着信状態」、「通信中」など）に拘わらず、基地局装置より送信されるパイロットチャネル信号やページングチャネル信号などの共通チャネル信号に基づいて、誤り率および受信レベルを測定することができる。また、誤り率および受信レベルを測定できれば、基地局装置から送信されるどのような信号でも利用可能である。
【００２５】
次いで、通信端末装置１００におけるアンテナ切替制御について、図２のフロー図を参照して説明する。
【００２６】
アンテナ切替制御部１０７は、復調部１０４からの復調後の信号より、現在通信端末装置１００が収容されている基地局装置のセルを特定するセル識別情報を抽出する（ＳＴ２０１）。
【００２７】
アンテナ切替制御部１０７は、通信状態監視部１０６より、通信端末装置１００の通信状態を示す通信状態情報を取得する（ＳＴ２０２）。
【００２８】
ＳＴ２０３において、アンテナ切替制御部１０７は、誤り率測定部１０５が測定した誤り率が所定のしきい値以上の場合に出力する命令信号を受け取ったか否かを判定する。
【００２９】
この判定の結果、誤り率測定部１０５から命令信号を受け取ったと判定した場合（ＳＴ２０３：ＹＥＳ）には、アンテナ切替制御部１０７は、ＳＴ２０１において取得したセル識別情報およびＳＴ２０２において取得した通信状態情報に対応する受信レベル、誤り率、およびアンテナ識別情報が記憶部１０８に記憶されているか否かを検索する（ＳＴ２０４）。なお、この判定の結果、誤り率測定部１０５から命令信号を受け取っていないと判定した場合（ＳＴ２０３：ＮＯ）には、ＳＴ２０１に戻る。
【００３０】
ＳＴ２０４における検索の結果、ＳＴ２０１において取得したセル識別情報およびＳＴ２０２において取得した通信状態情報に対応する受信レベル、誤り率、およびアンテナ識別情報が記憶部１０８に記憶されていない場合（ＳＴ２０４：ＮＯ）には、アンテナ切替制御部１０７は、受信レベル測定部１０９に対して現在測定している受信レベルの出力命令信号を与え、また、誤り率測定部１０５に対して現在測定している誤り率の出力命令信号を与える。そして、受信レベル測定部１０９は、アンテナ切替制御部１０７からの出力命令信号に応じて、その出力命令信号を受け取った時点での受信レベルを出力する。また、誤り率測定部１０５は、アンテナ切替制御部１０７からの出力命令信号に応じて、その出力命令信号を受け取った時点での誤り率を出力する。これにより、アンテナ切替制御部１０７は、現在測定している受信レベルおよび誤り率を取得する。また、現在選択しているアンテナ識別情報については、アンテナ切替制御部１０７は、アンテナ切替の制御を行っているので取得（保持）している（ＳＴ２０５）。
【００３１】
次に、ＳＴ２０６において、アンテナ切替制御部１０７は、アンテナ切替部１０３にアンテナ切替命令信号と、切り替えようとするアンテナのアンテナ識別情報とを出力する。
【００３２】
そして、ＳＴ２０７において、アンテナ切替制御部１０７は、アンテナ切替部１０３によりアンテナが切り替えられた後の受信レベルおよび誤り率の出力を命じる出力命令信号を、受信レベル測定部１０９および誤り率測定部１０５に対して与える。そして、受信レベル測定部１０９は、アンテナ切替制御部１０７からの出力命令信号に応じて、その出力命令信号を受け取った時点での受信レベルを出力する。また、誤り率測定部１０５は、アンテナ切替制御部１０７からの出力命令信号に応じて、その出力命令信号を受け取った時点での誤り率を出力する。これにより、アンテナ切替制御部１０７は、切替後のアンテナでの受信レベルおよび誤り率を取得する。また、切替後のアンテナ識別情報については、アンテナ切替制御部１０７は、アンテナ切替の制御を行っているので取得（保持）している。
【００３３】
ＳＴ２０８において、アンテナ切替制御部１０７は、全てのアンテナについての受信レベルおよび誤り率を受け取って比較することにより、受信レベルが最も高いアンテナにかかる受信レベルおよび誤り率と、そのアンテナの識別情報、通信状態情報およびセル識別情報とを記憶部１０８に出力するとともに、その最も受信レベルが高いアンテナに切り替えることを命じるアンテナ切替命令信号をアンテナ切替部１０３に出力する。
【００３４】
一方、ＳＴ２０４における検索の結果、ＳＴ２０１において取得したセル識別情報およびＳＴ２０２において取得した通信状態情報に対応する受信レベル、誤り率、およびアンテナ識別情報が記憶部１０８に記憶されている場合（ＳＴ２０４：ＹＥＳ）には、アンテナ切替制御部１０７は、セル識別情報および通信状態情報に対応するアンテナ識別情報を記憶部１０８から取得する（ＳＴ２０９）。
【００３５】
次に、ＳＴ２１０において、アンテナ切替制御部１０７は、現在選択しているアンテナの識別情報と、取得したアンテナ識別情報とが一致するか否かを判定する。
【００３６】
その判定の結果、現在選択しているアンテナの識別情報と、取得したアンテナ識別情報とが一致する場合（ＳＴ２１０：ＹＥＳ）には、アンテナ切替制御部１０７は、動作を終了する。
【００３７】
一方、判定の結果、現在選択しているアンテナの識別情報と、取得したアンテナ識別情報とが一致しない場合（ＳＴ２１０：ＮＯ）には、アンテナ切替制御部１０７は、アンテナを切り替えることを命じるアンテナ切替命令信号と、取得したアンテナ識別情報（すなわち、切り替えるべきアンテナのアンテナ識別情報）とをアンテナ切替部１０３に出力して、アンテナ切替部１０３によるアンテナ切替を制御する（ＳＴ２１１）。
【００３８】
なお、ここでは、アンテナ１０１およびアンテナ１０２という２つのアンテナを備えた場合について説明を行ったが、それ以上のアンテナを備えている場合にも同様である。すなわち、アンテナ切替制御部１０７は、アンテナ１０１およびアンテナ１０２のみならず全てのアンテナについての受信レベルおよび誤り率を受け取って比較することにより、受信レベルが最も高いアンテナにかかる受信レベルおよび誤り率と、そのアンテナの識別情報、通信状態情報、およびセル識別情報とを記憶部１０８に出力するとともに、その最も受信レベルが高いアンテナに切り替えることを命じるアンテナ切替命令信号をアンテナ切替部１０３に出力する。
【００３９】
このように、本実施の形態によれば、通信端末装置１００のアンテナ切替制御部１０７は、誤り率が所定のしきい値以上となり通信品質が低下したことを示し、かつ、自機が位置する場所をカバーする基地局装置のセルおよび自機の通信状態に対応する最も受信レベルの高いアンテナのアンテナ識別情報が記憶部１０８に記憶されていない場合に、アンテナの切り替えを行って全てのアンテナについての受信レベルを取得する。そして、最も受信レベルの高いアンテナの識別情報とセル識別情報および通信状態情報とを対応づけて、記憶部１０８に記憶させる。その後、ある通信状態で、あるアンテナを選択しているときに、誤り率が所定のしきい値以上となり通信品質が低下したことを示した場合には、その時のセル識別情報および通信状態情報に対応する、記憶部１０８に記憶されたアンテナ識別情報に基づき、アンテナの切替制御を行う。
【００４０】
こうすることで、自機が位置する場所をカバーする基地局装置のセルおよび自機の通信状態ごとに、最も受信レベルの高いアンテナを一度特定し、そのアンテナ識別情報とセル識別情報と通信状態情報を対応づけて記憶することができる。その後、ある通信状態で、あるアンテナを選択しているときに、誤り率が所定のしきい値以上となり通信品質が低下したことを示した場合には、その時のセル識別情報および通信状態情報に対応する、記憶部１０８に記憶された最も受信レベルの高いアンテナのアンテナ識別情報に基づき、アンテナの切替制御を行うことができる。そして、その最も受信レベルの高いアンテナに切り替えた後には、不必要なアンテナの切り替えを行う必要がない。そのため、アンテナ切り替えの頻度を低減することにより、送受信の中断の頻度を低減することができる。
【００４１】
なお、上記説明においては、アンテナ切替制御部１０７は、誤り率が所定のしきい値以上になったときに、その時点で自機が位置する場所をカバーする基地局のセル識別情報および自機の通信状態情報に対応したアンテナ識別情報などが記憶部１０８に記憶されていない場合には、受信レベルを各アンテナについて取得し、その受信レベルが最も高いアンテナの識別情報と、セル識別情報および通信状態情報とを記憶部１０８に記憶するとともに、その最も受信レベルが高いアンテナへの切替制御を行うこととして説明を行った。
【００４２】
しかし、これに限定されるものではなく、通信端末装置１００が誤り率測定部１０５を備えない場合でも、上記目的を達成することは可能である。また、通信端末装置１００が受信レベル測定部１０９を備えない場合も同様である。
【００４３】
以下、通信端末装置１００が誤り率測定部１０５を備えない場合の動作について説明するが、受信レベル測定部１０９を備えない場合については、以下の説明において、受信レベル測定部１０９を誤り率測定部１０５と読み替え、受信レベルを誤り率に置き換えればよい。
【００４４】
通信端末装置１００が誤り率測定部１０５を備えない場合には、受信レベル測定部１０９は、復調部１０４からの信号に基づいて、受信レベルを測定する。この測定の結果、受信レベルが所定のしきい値以下の場合には、受信レベル測定部１０９は、所定の命令信号をアンテナ切替制御部１０７に出力する。
【００４５】
アンテナ切替制御部１０７は、受信レベル測定部１０９からの所定の命令信号を受け取ると、記憶部１０８を参照し、抽出したセル識別情報および通信状態情報に対応する受信レベルおよびアンテナ識別情報が記憶部１０８に記憶されているか否かを検索する。
【００４６】
この検索の結果、セル識別情報および通信状態情報に対応する受信レベルおよびアンテナ識別情報が記憶部１０８に記憶されている場合には、アンテナ切替制御部１０７は、そのアンテナ識別情報と現在選択しているアンテナの識別情報とが一致するか否かを判定する。そして、判定の結果、一致する場合には、アンテナ切替制御部１０７は、動作しない。一方、判定の結果、一致しない場合には、アンテナ切替制御部１０７は、アンテナを切り替えることを命じるアンテナ切替命令信号と切り替えるべきアンテナのアンテナ識別情報とをアンテナ切替部１０３に出力する。
【００４７】
一方、検索の結果、セル識別情報および通信状態情報に対応する受信レベルおよびアンテナ識別情報が記憶部１０８に記憶されていない場合には、アンテナ切替制御部１０７は、受信レベル測定部１０９に対して現在測定している受信レベルの出力命令信号を与える。
【００４８】
その後、アンテナ切替制御部１０７は、アンテナ切替部１０３にアンテナ切替命令信号を出力するとともに、アンテナ切替部１０３によりアンテナが切り替えられた後の受信レベルの出力を命じる出力命令信号を、受信レベル測定部１０９に対して与える。なお、このアンテナ切替制御部１０７の動作は、通信端末装置１００が備える全てのアンテナについて行われる。
【００４９】
そして、アンテナ切替制御部１０７からの出力命令信号に応じて、受信レベル測定部１０９は、その出力命令信号を受け取った時点での受信レベルを出力する。これにより、アンテナ切替制御部１０７は、全てのアンテナについての受信レベルを受け取ることになる。
【００５０】
アンテナ切替制御部１０７は、全てのアンテナについての受信レベルを受け取って比較することにより、受信レベルが最も高いアンテナにかかる受信レベルと、そのアンテナの識別情報と、セル識別情報および通信状態情報とを記憶部１０８に出力するとともに、その最も受信レベルが高いアンテナに切り替えることを命じるアンテナ切替命令信号をアンテナ切替部１０３に出力する。なお、この場合、記憶部１０８は、アンテナ切替制御部１０７から受け取った受信レベル、アンテナ識別情報、通信状態情報およびセル識別情報を対応づけて記憶する。
【００５１】
以上のように、本実施の形態によれば、受信品質が低下し、かつ、自機が位置する場所をカバーする基地局装置のセルおよび自機の通信状態に対応する最も受信品質の高いアンテナのアンテナ識別情報が記憶されていない場合に、アンテナの切り替えを行って全てのアンテナについての受信品質情報を取得する。そして、最も受信品質の高いアンテナの識別情報と、セル識別情報および通信状態情報とを対応づけて記憶する。その後、ある通信状態で、あるアンテナを選択しているときに、通信品質が低下した場合には、その時のセル識別情報および通信状態情報に対応する、記憶したアンテナ識別情報に基づき、アンテナの切替制御を行う。
【００５２】
こうすることで、自機が位置する場所をカバーする基地局装置のセルおよび自機の通信状態ごとに、最も受信品質の高いアンテナを一度特定し、そのアンテナ識別情報とセル識別情報および通信状態情報とを対応づけて記憶することができる。その後、ある通信状態で、あるアンテナを選択しているときに、通信品質が低下した場合には、その時のセル識別情報および通信状態情報に対応する、記憶した最も受信品質の高いアンテナのアンテナ識別情報に基づき、アンテナの切替制御を行うことができる。そして、その最も受信品質の高いアンテナに切り替えた後には、不必要なアンテナの切り替えを行う必要がない。そのため、アンテナ切り替えの頻度を低減することにより、送受信の中断の頻度を低減することができる。
【００５３】
また、上記通信端末装置１００におけるアンテナ切替制御の変形例として、以下に説明するアンテナ切替制御としてもよい。以下、図２に示したフローと異なる点についてのみ説明する。
【００５４】
判定の結果、現在選択しているアンテナの識別情報と、取得したアンテナ識別情報とが一致しない場合（ＳＴ２１０：ＮＯ）には、アンテナ切替制御部１０７は、受信レベル測定部１０９に対して現在測定している受信レベルの出力命令信号を与える。
【００５５】
そして、受信レベル測定部１０９は、アンテナ切替制御部１０７からの出力命令信号に応じて、その出力命令信号を受け取った時点での受信レベルをアンテナ切替制御部１０７に出力する。
【００５６】
次に、アンテナ切替制御部１０７は、ＳＴ２０９において取得したアンテナ識別情報に対応する受信レベルを記憶部１０８から取得する。
【００５７】
そして、アンテナ切替制御部１０７は、受信レベル測定部１０９から受け取った受信レベルと、記憶部１０８から取得した受信レベルを比較する。
【００５８】
比較の結果、受信レベル測定部１０９から受け取った受信レベルが、記憶部１０８から取得した受信レベルよりも高い場合には、アンテナ切替制御部１０７は、ＳＴ２０１において取得したセル識別情報と、ＳＴ２０２において取得した通信状態情報と、現在選択しているアンテナの識別情報と、受信レベル測定部１０９から受け取った受信レベルとを記憶部１０８に出力し、記憶部１０８は、セル識別情報および通信状態情報が同一のデータを削除するとともに、アンテナ切替制御部１０７からのセル識別情報および通信状態情報、アンテナの識別情報および受信レベルを対応づけて記憶する。
【００５９】
一方、比較の結果、受信レベル測定部１０９から受け取った受信レベルが、記憶部１０８から取得した受信レベルよりも低い場合には、アンテナ切替制御部１０７は、アンテナを切り替えることを命じるアンテナ切替命令信号と、ＳＴ２０９において取得したアンテナ識別情報とをアンテナ切替部１０３に出力して、アンテナ切替部１０３によるアンテナ切替を制御する。
【００６０】
こうすることで、自機が位置する場所をカバーする基地局装置のセルおよび自機の通信状態ごとに、最も受信レベルの高いアンテナを一度特定し、そのアンテナ識別情報、セル識別情報、受信レベルおよび通信状態情報を対応づけて記憶することができる。その後、ある通信状態で、あるアンテナを選択しているときに、誤り率が所定のしきい値以上となり通信品質が低下したことを示した場合には、その時のセル識別情報および通信状態情報に対応する、記憶部１０８に記憶された最も受信レベルの高いアンテナの受信レベルと、現在選択しているアンテナの受信レベルとを比較し、記憶部１０８に記憶された受信レベルが高いときのみ、アンテナの切替制御を行うことができる。そのため、アンテナ切り替えの頻度を低減することにより、送受信の中断の頻度を低減することができ、さらに、セルおよび通信状態ごとに受信品質が最良のアンテナが変化する場合にも対応することができるため、送受信の品質向上を図ることができる。
【００６１】
（実施の形態２）
本実施の形態に係る通信端末装置の構成について、図３を参照して説明する。なお、実施の形態１にかかる通信端末装置１００と同じ構成要素については同じ符号を付し、その説明を省略する。
【００６２】
図３に示すように、通信端末装置３００は、復調部３０１、通信状態監視部３０２、アンテナ切替制御部３０３、記憶部３０４、アンテナ１０１、アンテナ１０２、およびアンテナ切替部１０３を備える。なお、ここでは、アンテナ１０１およびアンテナ１０２という２つのアンテナのみ挙げるが、これに限定されるものではなく、それ以上のアンテナを備えていてもよい。
【００６３】
復調部３０１は、アンテナ切替部１０３からの信号に復調処理を施して、復調後の信号をアンテナ切替制御部３０３に対して出力するとともに、受信データ信号としてデータ処理部（図示せず）に対して出力する。
【００６４】
通信状態監視部３０２は、通信端末装置１００の通信状態を監視して、通信状態情報（「発着信」、「通信中」）をアンテナ切替制御部３０３に出力する。
【００６５】
アンテナ切替制御部３０３は、復調部３０１からの信号より、基地局装置からの応答信号、および通信端末装置３００の現在位置をカバーしている基地局装置のセルを特定するセル識別情報などを抽出することで取得する。
【００６６】
なお、この基地局装置からの応答信号は、例えば、通信状態に応じて、次のようなものがある。
【００６７】
１．「発信」状態では、通信端末装置３００が基地局装置に対してデータ送信を開始する前に行う接続要求に応じて基地局装置から送信される信号が、応答信号であり、アンテナ切替制御部３０３は、この応答信号を受け取ることで基地局装置との接続が可能であることがわかる。
【００６８】
２．「着信」状態では、基地局装置からの接続要求に応じて通信端末装置３００が送信する応答信号に対して基地局装置から送信される信号が、基地局装置からの応答信号である。
【００６９】
３．「通信中（送受信）」状態では、通信端末装置３００が基地局装置に対して送信するデータもしくは制御情報に対応して基地局装置から送信されるべき信号が、応答信号である。例えば、制御情報の送信に対してＡＣＫやＮＡＣＫ等の応答が規定されている場合には、ＡＣＫやＮＡＣＫ等が応答信号として利用できる。
【００７０】
アンテナ切替制御部３０３は、この応答信号を受け取ったときに、通信端末装置３００から基地局装置への送信の「成功」と判断し、そのとき使用しているアンテナのアンテナ識別情報と、応答信号の送信元である基地局装置のセルを特定するセル識別情報と、通信状態情報とを対応づけて記憶部３０４へ出力する。なお、記憶部３０４は、アンテナ切替制御部３０３からのアンテナ識別情報と、セル識別情報と、通信状態情報とを対応づけて記憶する。
【００７１】
また、アンテナ切替制御部３０３は、通信端末装置３００の電源がＯＮとなり、自機が存在するセルのセル識別情報を初めて取得するとき、または通信端末装置３００を収容している基地局装置が変ったとき、すなわち、復調部３０１からの信号より抽出して取得するセル識別情報の内容が変化したとき、および、通信端末装置３００の通信状態が変化したときに、記憶部３０４を参照し、その最新のセル識別情報および通信状態情報をキーとして、アンテナ識別情報ごとに記憶部３０４に記憶されている個数を算出し、最も個数の多いアンテナ識別情報を特定する。
【００７２】
そして、アンテナ切替制御部３０３は、その特定したアンテナ識別情報と、現在選択しているアンテナの識別情報とが一致するか否かを判定する。そして、判定の結果、一致する場合には、アンテナ切替制御部３０３は、動作しない。一方、判定の結果、一致しない場合には、アンテナ切替制御部３０３は、アンテナを切り替えることを命じるアンテナ切替命令信号と切り替えるべきアンテナのアンテナ識別情報とをアンテナ切替部１０３に出力する。
【００７３】
なお、上記説明では、アンテナ切替制御部３０３は、「成功」と判断したときのみアンテナ識別情報と、セル識別情報と、通信状態情報とを対応づけて記憶部３０４に出力するものとして説明した。
【００７４】
しかし、これに限定されるものではなく、アンテナ切替制御部３０３は、応答信号が基地局装置より返信されないときには、「失敗」と判断し、そのとき使用しているアンテナのアンテナ識別情報と、応答信号の送信元である基地局装置のセルを特定するセル識別情報と、通信状態情報と、「失敗」であることを示す情報とを対応づけて記憶部３０４へ出力することとしてもよい。
【００７５】
この場合には、記憶部３０４は、アンテナ識別情報と、セル識別情報と、通信状態情報と、「成功」または「失敗」を示す情報とを対応づけて記憶する。
【００７６】
そして、アンテナ切替制御部３０３は、通信端末装置３００の電源がＯＮとなり、自機が存在するセルのセル識別情報を初めて取得するとき、または通信端末装置３００を収容している基地局装置が変ったとき、すなわち、復調部３０１からの信号より抽出して取得するセル識別情報の内容が変化したとき、および、通信端末装置３００の通信状態が変化したときに、記憶部３０４を参照し、その最新のセル識別情報および通信状態情報をキーとして、アンテナ識別情報ごとに成功率（成功回数／（成功回数＋失敗回数））を算出し、成功率の高いアンテナ識別情報を特定する。
【００７７】
このように、本実施の形態によれば、過去の基地局装置への送信についての送信結果と、そのとき使用したアンテナの識別情報と、そのときの通信状態情報と、その基地局装置のセル識別情報とを記憶部に記憶しておく。そして、通信端末装置の電源がＯＮとなり、自機が存在するセルのセル識別情報を初めて取得するとき、または通信端末装置を収容している基地局装置が変ったとき、すなわちセル識別情報が変わったとき、および、通信端末装置３００の通信状態が変化したときに、記憶部を参照し、その最新のセル内および通信端末装置の通信状態において、最も「成功」回数が多い、または最も成功率が高いアンテナを特定し、そのアンテナに切り替える制御を行う。
【００７８】
こうすることで、セルおよび通信状態ごとで、最も通信品質がよいと推定され、通信品質を保証できるアンテナに切り替えることができるので、その後に不必要なアンテナの切り替えを行う必要がない。そのため、アンテナ切り替えの頻度を低減することにより、送受信の中断の頻度を低減することができる。
【産業上の利用可能性】
【００７９】
本発明は、不必要なアンテナ切り替えによる送受信の中断頻度を低減することのできるアンテナ切替制御装置および通信端末装置として有用である。
【図面の簡単な説明】
【００８０】
【図１】本発明の実施の形態１に係る通信端末装置の構成を示すブロック図
【図２】実施の形態１の通信端末装置におけるアンテナ切替制御を説明するためのフロー図
【図３】本発明の実施の形態２に係る通信端末装置の構成を示すブロック図
【図４】従来の通信端末装置の構成を示すブロック図
【符号の説明】
【００８１】
１００、３００  通信端末装置
１０１、１０２  アンテナ
１０３  アンテナ切替部
１０４、３０１  復調部
１０５  誤り率測定部
１０６、３０２  通信状態監視部
１０７、３０３  アンテナ切替制御部
１０８、３０４  記憶部
１０９  受信レベル測定部
【図１】
2005328390.tif 000003
【図２】
2005328390.tif 000004
【図３】
2005328390.tif 000005
【図４】
2005328390.tif 000006